(57)【要約】【課題】壊れにくく、容易にロック解除できるロック機構付きパッケージを提供する。【解決手段】ケージ２内に挿抜自在に挿入されるパッケージ本体３を有し、このパッケージ本体３内にパッケージ本体３より突出してケージ２に係合するロック部材４を設けたロック機構付きパッケージにおいて、パッケージ本体３内にロック部材４に臨む柱状部材５を設け、この柱状部材５にパッケージ本体３の挿抜方向Ｓに伸びた第１索条部材６を巻き掛け、この第１索条部材６が挿抜方向Ｓに引かれたときにロック部材４をパッケージ本体３内に変位させるための第２索条部材７を柱状部材５に巻き掛けた。第１索条部材６を挿抜方向Ｓに引くとロック部材４がパッケージ本体３内に変位してロックが解除する。【選択図】        図１
2004349404.tif 000002
【特許請求の範囲】
【請求項１】
ケージ内に挿抜自在に挿入されるパッケージ本体を有し、このパッケージ本体内に該パッケージ本体より突出して上記ケージに係合するロック部材を設けたロック機構付きパッケージにおいて、上記パッケージ本体内に上記ロック部材に臨む柱状部材を設け、この柱状部材に上記パッケージ本体の挿抜方向に伸びた索条部材を巻き掛けて上記ロック部材に連結し、この索条部材が上記挿抜方向に引かれたときに上記ロック部材を上記パッケージ本体内に変位させるようにしたことを特徴とするロック機構付きパッケージ。
【請求項２】
ケージ内に挿抜自在に挿入されるパッケージ本体を有し、このパッケージ本体内に該パッケージ本体より突出して上記ケージに係合するロック部材を設けたロック機構付きパッケージにおいて、上記パッケージ本体内に上記ロック部材に臨む柱状部材を設け、この柱状部材に上記パッケージ本体の挿抜方向に伸びた第１索条部材を巻き掛け、この第１索条部材が上記挿抜方向に引かれたときに上記ロック部材を上記パッケージ本体内に変位させるための第２索条部材を上記柱状部材に巻き掛けたことを特徴とするロック機構付きパッケージ。
【請求項３】
上記柱状部材は、上記第１索条部材を巻き掛けた径と、上記第２索条部材を巻き掛けた径とが互いに異なることを特徴とする請求項２記載のロック機構付きパッケージ。
【請求項４】
上記ロック部材を上記パッケージ本体に固定された一端と上記パッケージ本体から自由な一端とを有する弾性部材に取り付け、この弾性部材に上記第２索条部材を連結したことを特徴とする請求項２又は３記載のロック機構付きパッケージ。
【請求項５】
上記パッケージ本体に前記挿抜方向にスライド操作自在なスライド部材を設け、このスライド部材に上記第１索条部材を連結したことを特徴とする請求項２〜４いずれか記載のロック機構付きパッケージ。
【請求項６】
上記柱状部材は、該柱状部材の軸周りに回転自在に構成され、この柱状部材を回転駆動する駆動部材を有することを特徴とする請求項１〜５いずれか記載のロック機構付きパッケージ。
【発明の詳細な説明】
【０００１】
【発明の属する技術分野】
本発明は、光送受信モジュールなどの光通信用パッケージに係り、ケージに対して交換可能に取り付けられるロック機構付きパッケージに関するものである。
【０００２】
【従来の技術】
光通信用パッケージは、光ファイバと通信機器との間に介設され光ファイバから受信した光信号を電気信号に変換して通信機器側に伝えたり、通信機器からの電気信号を光信号に変換して光ファイバ側に伝えたりするものである。このパッケージは、内部の光学素子や電気素子に不具合が生じたときや、通信仕様（光波長や変調方式や通信速度など）を相手と整合させたいときなどに対応するため、光ファイバと通信機器とに対して着脱自在となっている。
【０００３】
図１８に示すパッケージ４０は、特許文献１に記載されたものである。このパッケージ４０は、光ファイバコネクタ（図示せず）を挿抜するためのソケット口（図示せず）を有しケージ４１内に挿抜自在に挿入されるパッケージ本体４２と、パッケージ本体４２に揺動自在に設けられた梃子部材４３と、梃子部材４３の一端に設けられケージ４１側に出没するロック部４４と、パッケージ本体４２に回動自在に設けられ梃子部材４３を揺動させるための操作レバー４５とを備えて構成されている。
【０００４】
操作レバー４５は、回動中心から径方向に延びて梃子部材４３の他端側に係合される係合部４６を有し、回動することで係合部４６で梃子部材４３の他端側を押し、ロック部４４をパッケージ本体４２側に引っ込めるように構成されている。
【０００５】
なお、ケージ４１の形状（寸法やロック部４４を係合させるラッチの位置）は、各メーカ共通の規格により規定されている。
【０００６】
【特許文献１】
米国特許第６４３９９１８Ｂ１号明細書（第１図、第３Ｂ図、第４図）
【０００７】
【発明が解決しようとする課題】
ところで、操作レバー４５は、回動するとき梃子となって梃子部材４３を押すため、操作レバー４５や梃子部材４３に大きな力がかかり易く、壊れやすいという課題があった。また、パッケージ４０は、光ファイバを集中配線できるように通信機器（図示せず）に上下多段に近接して配置されるものであるが、操作レバー４５は、所定の位置にある取っ手４７を引くことでロックを解除するようになっているため、配置位置等により取っ手４７を引きづらくロック解除が難しい場合もあった。そして、ロック解除の操作性を向上させるためにパッケージ４０を上下逆さに装着するいわゆる背中合わせ配線も提案されているが、背中合わせ配線では光ファイバコネクタも逆さに配線しなくてはならず、配線作業がやりにくくなってしまう問題があった。
【０００８】
そこで、本発明の目的は、上記課題を解決し、壊れにくく、容易にロック解除できるロック機構付きパッケージを提供することにある。
【０００９】
【課題を解決するための手段】
上記目的を達成するために本発明は、ケージ内に挿抜自在に挿入されるパッケージ本体を有し、このパッケージ本体内に該パッケージ本体より突出して上記ケージに係合するロック部材を設けたロック機構付きパッケージにおいて、上記パッケージ本体内に上記ロック部材に臨む柱状部材を設け、この柱状部材に上記パッケージ本体の挿抜方向に伸びた索条部材を巻き掛けて上記ロック部材に連結し、この索条部材が上記挿抜方向に引かれたときに上記ロック部材を上記パッケージ本体内に変位させるようにしたものである。
【００１０】
また、本発明は、ケージ内に挿抜自在に挿入されるパッケージ本体を有し、このパッケージ本体内に該パッケージ本体より突出して上記ケージに係合するロック部材を設けたロック機構付きパッケージにおいて、上記パッケージ本体内に上記ロック部材に臨む柱状部材を設け、この柱状部材に上記パッケージ本体の挿抜方向に伸びた第１索条部材を巻き掛け、この第１索条部材が上記挿抜方向に引かれたときに上記ロック部材を上記パッケージ本体内に変位させるための第２索条部材を上記柱状部材に巻き掛けたものである。
【００１１】
上記柱状部材は、上記第１索条部材を巻き掛けた径と、上記第２索条部材を巻き掛けた径とが互いに異なってもよい。
【００１２】
上記ロック部材を上記パッケージ本体に固定された一端と上記パッケージ本体から自由な一端とを有する弾性部材に取り付け、この弾性部材に上記第２索条部材を連結してもよい。
【００１３】
上記パッケージ本体に前記挿抜方向にスライド操作自在なスライド部材を設け、このスライド部材に上記第１索条部材を連結してもよい。
【００１４】
上記柱状部材は、該柱状部材の軸周りに回転自在に構成され、この柱状部材を回転駆動する駆動部材を有してもよい。
【００１５】
【発明の実施の形態】
以下、本発明の一実施形態を添付図面に基づいて詳述する。
【００１６】
図１に示されるように、本発明に係るロック機構付きパッケージ１は、ケージ２内に挿抜自在に挿入されると共にケージ２に締結解除可能にロックされるパッケージ本体３と、パッケージ本体３に設けられパッケージ本体３より突出してケージ２に係合するロック部材４と、パッケージ本体３内に設けられロック部材４に臨む柱状部材５と、この柱状部材５に巻き掛けられパッケージ本体３の挿抜方向（矢印；Ｓ１が挿方向、Ｓ２が抜方向）に伸びた第１索条部材６と、この第１索条部材６が抜方向Ｓ２に引かれたときにロック部材４をパッケージ本体３内に変位させるために柱状部材５に巻き掛けられた第２索条部材７と、パッケージ本体３に固定された一端８ａ（図２参照）とパッケージ本体３から自由な一端８ｂとを有すると共に第２索条部材７に連結された弾性部材８と、パッケージ本体３に挿抜方向Ｓにスライド操作自在に設けられ第１索条部材６が連結されているスライド部材９とを備えてなる。
【００１７】
図１は、ケージ２に対して締結及び解除するロック機構に着目するため、図示したより右側部分は省略してあるが、パッケージ本体３は図示したより右側に角柱状に伸びており（図１３参照）、ケージ２もそのパッケージ本体３を覆うように角筒状に伸びている。パッケージ本体３の図示したより右側部分の中には光通信のための光学素子や電気素子が収容されていることは勿論である。
【００１８】
ケージ２の底面はケージ２が固定されている回路基板１０の表面よりやや浮かせて支持されている。そして、ケージ２の底面にはロック部材４を係合するための窓１１が設けられている。つまり、ロック部材４がパッケージ本体３より突出して窓１１に嵌まり込んでケージ２に係合することでロックが達成される。
【００１９】
図２に示されるように、ロック部材４は弾性部材８としての板バネに取り付けられている。この弾性部材８は、パッケージ本体３に固定された一端８ａとパッケージ本体３から自由な一端８ｂとを有する。従って、この自由な一端８ｂを図１に示した状態よりパッケージ本体３の内側に起こしてやると、ロック部材４がパッケージ本体３内に変位して窓１１から外れ、ケージ２との係合を失うのでパッケージ本体３がロックから解除される。自由な一端８ｂを起こす力を取り去ると、付勢力が開放されてロック部材４がパッケージ本体３から突出する。
【００２０】
ロック部材４には挿抜方向Ｓの手前側（図示左側）には、ケージ２の窓１１の縁に対して直角かそれに近い角度で交差する係合面４ａが形成され、挿抜方向Ｓの奥側（図示右側）にはケージ口底辺２ａに対して鋭角で交差する擦合斜面４ｂが形成されている。
【００２１】
図３に示されるように、スライド部材９は、パッケージ本体３の一端に形成されている光ファイバコネクタ（図示せず）を挿抜するためのソケット口１２からパッケージ本体３内に挿入されている。ソケット口１２の底部及び天井部のいずれか一方又は両方（図示例）には挿入方向（矢印Ｓ１；挿抜方向Ｓと平行）に伸びたレール１３が設けられている。スライド部材９には、レール１３に嵌合されるレール受け１４が設けられている。従って、スライド部材９は、挿抜方向Ｓにスライド操作自在となっている。なお、ソケット口１２が送信用光ファイバのコネクタと受信用光ファイバのコネクタとを並列配置した２連光ファイバコネクタを挿抜するものである場合、スライド部材９は送受両コネクタ間の隔壁として利用することができる。
【００２２】
図４（ａ）に示されるように、柱状部材５は、径が均一な円柱状の部材であり、柱状部材５の軸方向がパッケージ本体３の幅方向に向くようパッケージ本体３の図示しない幅方向両側壁に枢支される。この柱状部材５は、軸を中心に回転自在に設けてもよいし、回転しないようにしてもよい。柱状部材５を回転自在にした場合、第１索条部材６が柱状部材５の周に巻き取られたとき、第２索条部材７が柱状部材５の周に巻き取られるように構成し、柱状部材５を回転しないようにした場合、第１、第２索条部材６，７はひとつながりの索条部材とし、その１本の索条部材が柱状部材５の周に沿って滑り、方向転換されるように構成する。また、図４（ｂ）に示されるように、柱状部材５は、太径部５ａと細径部５ｂを有する円柱状の部材であり、図４（ａ）の場合と同様にパッケージ本体３の幅方向両側壁に枢支される。この柱状部材５は、軸を中心に回転自在に設ける。第１索条部材６を巻き掛ける径と、第２索条部材７を巻き掛ける径を異ならせることにより、柱状部材５が回転したときに第１索条部材６が巻き取られ或いは繰り出される長さと第２索条部材７が繰り出され巻き取られる長さとを異ならせることができる。
【００２３】
第１索条部材６は、ソケット口１２のほうから操作者が引っ張る操作をするためのものであり、パッケージ本体３の挿抜方向Ｓに伸ばして設けられている。図１の場合、操作者がスライド部材９を挿抜方向Ｓに引くことにより第１索条部材６が引っ張られるように、第１索条部材６はスライド部材９に連結されている。一方、第２索条部材７は、ロック部材４をパッケージ本体３内に変位させるためのものであり、弾性部材８の自由な一端８ｂに連結されている。これら、第１、第２索条部材６，７が互いに反対回りに柱状部材５に巻き掛けられていることで、第１索条部材６の引っ張り操作によって第２索条部材７が弾性部材８の自由な一端８ｂを起こすことができる。第１、第２索条部材６，７は、金属ワイヤ、ピアノ線、繊維からなる糸或いは紐、ファイバ、鎖などからなる。
【００２４】
図１の実施形態ではパッケージ本体３に図４（ａ）の柱状部材５を取り付けてある。第１、第２索条部材６，７はひとつながりに構成した１本の索条部材となっている。
【００２５】
図１のロック機構付きパッケージ１の動作を説明する。
【００２６】
まず、ロック締結の説明をする。図５は、パッケージ本体３がケージ２から抜き出された状態を示す。弾性部材８は解勢されて真っ直ぐになっており、ロック部材４はパッケージ本体３より突出している。スライド部材９は、一端がパッケージ本体３内のストッパ部３ａに接しているため、挿入方向Ｓ１にはスライドできない。なお、スライド部材９の反対端はソケット口１２と同じ位置に示してあるが、この状態でソケット口１２より外へ出ていてもかまわない。この状態からパッケージ本体３を挿入方向Ｓ１に押し込む。スライド部材９がストッパ部３ａに当たっているので、スライド部材９を押してもパッケージ本体３を押し込むことができる。
【００２７】
図５の状態からパッケージ本体３を挿入方向Ｓ１に押し込むと、ロック部材４の擦合斜面４ｂがケージ口底辺２ａに乗り上げ、図６に示されるように、弾性部材８がロック部材４によって押し上げて起こされる。第２索条部材７には弛みが生じている。このように、片方端を固定支持した弾性部材８にロック部材４を取り付けたので、パッケージ本体３の挿入操作に連動させてロック部材４をパッケージ本体３内に潜らせてケージ２の底面上を通過させることができる。好適には、ロック部材４に擦合斜面４ｂを形成したので、擦合斜面４ｂが円滑にケージ口底辺２ａに乗り上げることができる。
【００２８】
図６の状態からさらにパッケージ本体３を挿入方向Ｓ１に押し込むと、図１のように、弾性部材８の付勢力が開放されてロック部材４がパッケージ本体３から突出しケージ２の窓１１に嵌まり込み、ロックが達成される。
【００２９】
次に、ロックを解除する場合、図７に示されるように、スライド部材９を抜方向Ｓ２に引っ張る。スライド部材９が抜方向Ｓ２にスライドすることにより、スライド部材９に連結されている第１索条部材６が抜方向Ｓ２に引かれ、第１索条部材６とひとつながりである第２索条部材７が柱状部材５の周に沿って移動する。第２索条部材７に連結されている弾性部材８の自由な一端８ｂが起こされることにより、ロック部材４がパッケージ本体３内に変位して窓１１から離脱するので、ロックが解除される。引き続きスライド部材９を抜方向Ｓ２に引っ張ることにより、ロック部材４がケージ２の底面上を通過し、さらに引っ張りを続ければパッケージ本体３をケージ２から完全に抜き取ることができる。
【００３０】
このロック解除の操作は、スライド部材９を引く操作なので無用に大きな力が入ることはないし、ロック部材４が窓１１から離脱した瞬間からパッケージ本体３が自由になり、スライド部材９を引く力がそのままパッケージ本体３を抜き取る力に移行するので、力の入り過ぎでスライド部材９やその他の部材を壊してしまうことがない。
【００３１】
次に、他の実施形態を説明する。
【００３２】
図８に示した柱状部材５０は、太径部５ａと細径部５ｂと中心軸５ｃとからなる。柱状部材５の全体が一体的に回転するようになっており、太径部５ａには第１索条部材６が巻き掛けられ、細径部５ｂには第２索条部材７が巻き掛けられる。第１索条部材６を抜方向Ｓ２に引っ張ると第１索条部材６が太径部５ａが繰り出されて柱状部材５０が回転する。その柱状部材５０の回転により第２索条部材７が巻き取られ、第２索条部材７はロック部材４をパッケージ本体３内に変位させる方向に移動する。巻き掛けの径の差異により、第１索条部材６の繰り出し量より第２索条部材７の巻き取り量は少なくなる。これにより、スライド部材９をスライドさせるストロークをロック部材４が変位するストロークよりも大きくとることができる。図１などの各図はロック部材４を誇張して大きく描いてあるが、ロック解除にロック部材４に必要なロック部材４のストロークはわずか（ケージ２の板厚程度）であり、スライド部材９のストロークはロック部材４のストロークよりも大きいほうが操作がし易い。
【００３３】
図９に示したロック機構付きパッケージ１は、図８の柱状部材５０を設けたものである。他の部材は図１と同じである。図９の状態からロックを解除する場合、スライド部材９を抜方向Ｓ２に引っ張る。その結果、ロックが解除される点は図７の場合と同じであるが、図１０に示されるように、スライド部材９のストロークはロック部材４のストロークよりも大きいので、操作がし易い。
【００３４】
図１１に示したロック機構付きパッケージ１は、第１索条部材６に余長を設けたものである。スライド部材９の一端がストッパ部３ａに接している状態では、図示のように弛み６ａが生じている。この状態からロックを解除する場合、スライド部材９を抜方向Ｓ２に引っ張る。スライド部材９がスライドしても、弛み６ａが解消されるまでのあいだは第２索条部材７には引っ張り力が加わらず、弾性部材８は動かない。弛み６ａが解消されて第１索条部材６が真っ直ぐになると第２索条部材７に引っ張り力が加わり、弾性部材８が起こされる。このように、第１索条部材６に余長を設けることによっても、スライド部材９を操作するストロークをロック部材４の変位に必要なストロークよりも大きくすることができる。また、この場合、弛み６ａが解消されるまでのあいだはスライド部材９に弾性部材８による反力が加わらない。従って、スライド部材９を抵抗なくスライド操作することができ、ソケット口１２からのスライド部材９のはみ出しが少ない場合でも、僅かな力でスライド部材９を容易に引き出して確実にスライド部材９をつまむようにしてから、弾性部材８による反力に抗してロック部材４を変位させる操作をすることができる。
【００３５】
次に、弾性部材８に第２索条部材７を連結する形態を説明する。
【００３６】
図１２（ａ）に示されるように、弾性部材８に通し穴８ｃを形成しておき、この通し穴８ｃに柱状部材５に巻き掛けられている第２索条部材７の先端を図の上から下へ、即ち、パッケージ本体３の底部側に通す。そして、図１２（ｂ）に示されるように、第２索条部材７の先端に通し穴８ｃからの抜けを防止する止め玉７ａを形成する。止め玉７ａは、金属線で構成した場合は先端を潰したり折り曲げたりすることで形成することができ、糸などの結び目を作れる材料で構成した場合は先端に結び目を作って形成することができる。
【００３７】
次に、柱状部材５を回転駆動する駆動部材について説明する。
【００３８】
柱状部材５の形態として、回転力を溜めることができるようにしてもよい。例えば、柱状部材５の内部に巻き取りバネ（図示せず）を組み込んでおく。巻き取りバネが柱状部材５を回転駆動する駆動部材となる。スライド部材９を引き出して第１索条部材６を繰り出したときに巻き取りバネが付勢されて、スライド部材９を放したときに巻き取りバネが駆動部材として働き柱状部材５を回転駆動するので、第１索条部材６が巻き戻されるようになる。これにより、弾性部材８が第２索条部材７を繰り出す作用を補助することができる。また、駆動部材を設けることにより、図１１のように第１索条部材６に余長がある場合に、弛み６ａ部分を柱状部材５に巻き取り、スライド部材９がソケット口１２から無用にはみ出すのを防止することができる。
【００３９】
次に、第１索条部材６に関する他の実施形態を説明する。
【００４０】
図１３（図１４も参照）に示されるように、本発明に係るロック機構付きパッケージ１は、ケージ２内に挿抜自在に挿入されると共にケージ２に締結解除可能にロックされるパッケージ本体３と、パッケージ本体３に設けられパッケージ本体３より突出してケージ２に係合するロック部材４と、パッケージ本体３内に設けられロック部材４に臨む柱状部材５と、この柱状部材５に巻き掛けられパッケージ本体３の挿抜方向Ｓに伸びた第１索条部材６と、この第１索条部材６が挿抜方向Ｓに引かれたときにロック部材４をパッケージ本体３内に変位させるために柱状部材５に巻き掛けられた第２索条部材７と、パッケージ本体３に固定された一端８ａ（図２参照）とパッケージ本体３から自由な一端８ｂとを有すると共に第２索条部材７に連結された弾性部材８とを備えてなる。
【００４１】
この実施形態では、図１にはあったスライド部材９がなく、第１索条部材６は、パッケージ本体３内の隔壁３ｂに柱状部材５近傍からソケット口１２まで形成された索条通路１５に挿通されている。第１索条部材６は、ソケット口１２から外へ出ている余長６ｂが設けられ、その余長６ｂに引き出しツマミ１６が取り付けられている。
【００４２】
図１４に示されるように、ロック部材４がパッケージ本体３から突出してケージ２の窓１１に嵌まり込み、ロックが達成されている。この状態は図１に対応している。第１索条部材６の余長６ｂが索条通路１５の出口から垂れ下がり、引き出しツマミ１６がソケット口１２の下方に位置している。
【００４３】
ロックを解除する場合、図１５に示されるように、引き出しツマミ１６を抜方向Ｓ２に引っ張る。これにより、第１索条部材６が抜方向Ｓ２に引かれ、第１索条部材６とひとつながりである第２索条部材７が柱状部材５の周に沿って移動する。第２索条部材７に連結されている弾性部材８の自由な一端８ｂが起こされることにより、ロック部材４がパッケージ本体３内に変位して窓１１から離脱するので、ロックが解除される。引き続き引き出しツマミ１６を抜方向Ｓ２に引っ張ることにより、ロック部材４がケージ２の底面上を通過し、さらに引っ張りを続ければパッケージ本体３をケージ２から完全に抜き取ることができる。第１、第２索条部材６，７が別々の場合でも同様の動作ができる。また、図８の柱状部材５を用いた場合も同様の動作ができる。
【００４４】
次に、ロック部材４に関する他の実施形態を説明する。
【００４５】
これまで説明した実施形態ではロック部材４がパッケージ本体３の底部より突出すようになっていた。これは、ケージ２の底面にロック部材４を係合するための窓１１が設けられた規格に適合させたものである。窓１１がケージ２の両側面に設けられた規格に適合させるには、ロック部材４がパッケージ本体３の両側部より突出す構成が必要になる。そこで、図１６（ａ）に示されるように、本発明に係るロック機構付きパッケージ１は、ケージ２内に挿抜自在に挿入されると共にケージ２に締結解除可能にロックされるパッケージ本体３と、パッケージ本体３に設けられパッケージ本体３の両側部より突出してケージ２に係合する２つのロック部材４，４と、パッケージ本体３内に設けられロック部材４，４にそれぞれ臨む２つの柱状部材５，５と、これら柱状部材５，５にそれぞれ巻き掛けられパッケージ本体３の挿抜方向Ｓに伸びた２つの第１索条部材６と、これら第１索条部材６，６が挿抜方向Ｓに引かれたときにロック部材４，４をパッケージ本体３内に変位させるために柱状部材５，５にそれぞれ巻き掛けられた２つの第２索条部材７，７と、パッケージ本体３に固定された一端８ａ（図２参照）とパッケージ本体３から自由な一端８ｂとを有すると共に第２索条部材７，７にそれぞれ連結された２つの弾性部材８，８とを備えてなる。
【００４６】
この実施形態では、２つの柱状部材５，５は、それぞれ柱状部材５の軸方向がパッケージ本体３の高さ方向に向くようパッケージ本体３の図示しない天井壁及び底壁に枢支される。ロック締結及び解除の動作は、前述した実施形態の説明から十分に明らかであるので説明を省略する。図１６（ｂ）はロックが解除された状態を示している。
【００４７】
次に、ロック機構の方式が異なる他の実施形態を説明する。
【００４８】
図１７（ａ）に示した本発明に係るロック機構付きパッケージ１は、図１６（ａ）のものと殆ど同じであるので、相違点のみ説明する。図１７（ａ）のロック機構付きパッケージ１では、ロック部材４がパッケージ本体３より突出せず、パッケージ本体３の内部で変位するようになっている。ロック部材４は、玉状に形成され弾性部材８の自由な一端８ｂに取り付けられている。図１７（ａ）に示すようにロック部材４はパッケージ本体３の側面すれすれに位置している。この位置が弾性部材８が解勢された自然な位置である。これまで説明したような第１索条部材６の引っ張りの操作により、図１７（ｂ）に示すようにロック部材４が自然位置よりパッケージ本体３の内側へ変位する。
【００４９】
この実施形態は、対応するケージ２の規格がこれまで説明したものとは異なり、ケージ２の側面内側に弾性的に支持された凸部材（図示せず）が設けられており、この凸部材がパッケージ本体３の側面に設けた係合部１７に係合することでロックが達成されるようになっている。そこで、この規格に適合するよう、ロック部材４の膨らみによって係合部１７を形成したものである。図１７（ｂ）に示すようにロック部材４が自然位置よりパッケージ本体３の内側へ変位すると、係合部１７が凸部材から外れてロックが解除される。
【００５０】
【発明の効果】
本発明は次の如き優れた効果を発揮する。
【００５１】
（１）無用な力が加わりにくいので壊れにくい。
【００５２】
（２）容易にロックが解除できる。
【図面の簡単な説明】
【図１】本発明の一実施形態を示すパッケージの要部側断面図である。
【図２】本発明に使用する弾性部材の斜視図である。
【図３】本発明に使用するスライド部材の斜視図である。
【図４】本発明に使用する柱状部材の斜視図である。
【図５】図１のパッケージの状態が異なるときの要部側断面図である。
【図６】図１のパッケージの状態が異なるときの要部側断面図である。
【図７】図１のパッケージの状態が異なるときの要部側断面図である。
【図８】本発明に使用する柱状部材の側面及び正面図である。
【図９】本発明の一実施形態を示すパッケージの要部側断面図である。
【図１０】図９のパッケージの状態が異なるときの要部側断面図である。
【図１１】本発明の一実施形態を示すパッケージの要部側断面図である。
【図１２】本発明の第２索条部材と弾性部材の連結を示す斜視図である。
【図１３】本発明の一実施形態を示すパッケージの斜視図である。
【図１４】図１３のパッケージの要部側断面図である。
【図１５】図１４のパッケージの状態が異なるときの要部側断面図である。
【図１６】（ａ），（ｂ）はそれぞれ本発明の一実施形態を示すパッケージの平断面図である。
【図１７】（ａ），（ｂ）はそれぞれ本発明の一実施形態を示すパッケージの平断面図である。
【図１８】従来のパッケージの要部側断面図である。
【符号の説明】
１  パッケージ
２  ケージ
３  パッケージ本体
４  ロック部材
５、５０  柱状部材
５ａ  太径部
５ｂ  細径部
６  第１索条部材
７  第２索条部材
８  弾性部材
８ａ  固定された一端
８ｂ  自由な一端
９  スライド部材
【図１】
2004349404.tif 000003
【図２】
2004349404.tif 000004
【図３】
2004349404.tif 000005
【図４】
2004349404.tif 000006
【図５】
2004349404.tif 000007
【図６】
2004349404.tif 000008
【図７】
2004349404.tif 000009
【図８】
2004349404.tif 000010
【図９】
2004349404.tif 000011
【図１０】
2004349404.tif 000012
【図１１】
2004349404.tif 000013
【図１２】
2004349404.tif 000014
【図１３】
2004349404.tif 000015
【図１４】
2004349404.tif 000016
【図１５】
2004349404.tif 000017
【図１６】
2004349404.tif 000018
【図１７】
2004349404.tif 000019
【図１８】
2004349404.tif 000020